(57)【特許請求の範囲】
【請求項１】
車両に関する情報を表示するディスプレイと、
前記ディスプレイの少なくとも一部を覆う斜め前方、または前記ディスプレイを覆わない斜め後方への移動が可能なアナログ式計器と、
を備えた可動式メータであって、
前記ディスプレイをアイポイントから見た際に前記アナログ式計器の後方に隠れるオーバーラップ領域を除いた領域を該ディスプレイの表示領域として情報を表示する表示制御手段を有し、
前記表示制御手段は、前記アナログ式計器が斜め前方から斜め後方に移動するとき、前記アナログ式計器の移動を待って、前記情報が表示された前記表示領域を拡大し、前記アナログ式計器が斜め後方から斜め前方に移動するとき、前記アナログ式計器の移動に先立って、前記情報が表示された前記表示領域を縮小することを特徴とする可動式メータ。
【請求項２】
前記表示制御手段は、前記表示領域を拡大するとき、前記ディスプレイ上に表示する情報の大きさを拡大し、前記表示領域を縮小するとき、前記ディスプレイ上に表示する情報の大きさを縮小することを特徴とする請求項１に記載の可動式メータ。
【請求項３】
前記表示制御手段は、前記表示領域を拡大するとき、前記ディスプレイに表示する情報の情報量を増加し、前記表示領域を縮小するとき、前記ディスプレイ上に表示する情報を減少させることを特徴とする請求項１に記載の可動式メータ。
【請求項４】
前記表示制御手段は、前記アナログ式計器が斜め前方から斜め後方に移動するとき、前記表示領域の拡大を、前記アナログ式計器の移動に合わせて逐次行い、前記アナログ式計器が斜め後方から斜め前方に移動するとき、前記表示領域の縮小を、前記アナログ式計器の移動に合わせて逐次行うことを特徴とする請求項１から３のいずれか一項記載の可動式メータ。
【請求項５】
車両に関する情報を表示するディスプレイと、
前記ディスプレイの少なくとも一部を覆う斜め前方、または前記ディスプレイを覆わない斜め後方への移動が可能なアナログ式計器と、を備えた可動式メータの表示制御方法であって、
前記ディスプレイをアイポイントから見た際に前記アナログ式計器の後方に隠れるオーバーラップ領域を除いた領域を該ディスプレイの表示領域として情報を表示する表示制御ステップと、
前記アナログ式計器が斜め前方から斜め後方に移動するとき、前記アナログ式計器の移動を待って、前記情報が表示された前記表示領域を拡大する表示領域拡大ステップと、
前記アナログ式計器が斜め後方から斜め前方に移動するとき、前記アナログ式計器の移動に先立って、前記情報が表示された前記表示領域を縮小する表示領域縮小ステップと、を含むことを特徴とする可動式メータの表示制御方法。
【発明の詳細な説明】
【技術分野】
【０００１】
本発明は、自動車などの車両に搭載するアナログ式のメータであって、表示部の移動が行える可動式メータおよびその表示制御方法に関する。
【背景技術】
【０００２】
自動車などの車両に搭載するアナログ式の車両計器には、速度を表示する速度メータやエンジンの回転数を表示するタコメータなどがある。これらの計器を含む表示部には、視認性を向上させるための各種工夫がこれまでにも提案されている。例えば、速度メータの文字盤を回転させ、制限速度に対する指針の到達状況を直感的に把握できるようにしたメータシステム（例えば、特許文献１参照）や、２つの計器を左右に移動させ、計器と計器の間に別の情報を表示できるようにしたコンビネーション計器（例えば、特許文献２参照）などがある。
【０００３】
また、計器と計器の間に別の情報を表示するのは同じであるが、２つの計器を斜め前方または斜め後方に移動させるようにした可動式メータについても研究がなされている。図１１と図１２は、従来の可動式メータの動作の様子を示す模式図である。図１１に示すように、この可動式メータでは、通常、２つの計器（速度計２０および回転計３０）の文字盤２２および３２は、中央のディスプレイ５０の画面より斜め前方に移動していて、ディスプレイ５０の左右両側はその一部が覆い隠されている（以降、オーバーラップ領域と称する）。このとき、ディスプレイ５０には、視認可能な領域に必要最小限の情報だけが表示される。
【０００４】
一方、図１２に示すように、特別な情報を大きく表示する必要がある場合には、２つの計器の文字盤が同時に斜め後方へ移動して、オーバーラップ領域が消失し、ディスプレイ５０の画面全体が視認できるようになる。このように計器および文字盤が斜め前方または斜め後方に移動するため、特許文献２に開示されたコンビネーション計器のように計器が左右に移動する場合と比較して、表示の視認に要する視野角が広がることがなく、従って、運転者の視認性を低下させることなく表示を変更することができる。
【先行技術文献】
【特許文献】
【０００５】
【特許文献１】特開２００７−１１４１７５号公報（第５頁−第９頁、図１）
【特許文献２】独国特許出願公開第４２４０４６５Ａ１号明細書（第１頁−第４頁、図３）
【発明の概要】
【発明が解決しようとする課題】
【０００６】
しかしながら、上記の可動式メータは、ディスプレイに特別な表示を行う場合に２つの計器を斜め後方へ一律に移動させるものであるため、柔軟な表示制御が行えないという課題があった。
【０００７】
特に、情報の内容に応じて可動式メータを移動させてから表示を行うという制御だけでは不都合を生じる場合がある。例えば、緊急を要する内容の情報では、可動式メータの移動完了を待って表示を行うのでは表示の迅速性に欠ける。一方、迅速な表示を行うため、可動式メータの現在位置にかかわらず一律な表示を行うと、オーバーラップ領域がある場合、表示された情報は可動式メータの後方に隠れてアイポイントから見えず、正確な情報伝達が行えないという問題がある。なお、情報を視認することができる表示領域（即ち、オーバーラップ領域を含まない部分のディスプレイの表示エリア）は、可動式メータの位置に応じて変化する。
【０００８】
本発明は、上述した事情に鑑みてなされたものであり、その目的は、表示する情報に関し、可動式メータの現在位置に応じて、オーバーラップ領域に表示が行われないようにディスプレイ上の表示を制御する可動式メータおよびその表示制御方法を提供することにある。
【課題を解決するための手段】
【０００９】
前述した目的を達成するために、本発明に係る可動式メータは、下記（１）〜（４）を特徴としている。
（１）  車両に関する情報を表示するディスプレイと、
前記ディスプレイの少なくとも一部を覆う斜め前方、または前記ディスプレイを覆わない斜め後方への移動が可能なアナログ式計器と、
を備えた可動式メータであって、
前記ディスプレイをアイポイントから見た際に前記アナログ式計器の後方に隠れるオーバーラップ領域を除いた領域を該ディスプレイの表示領域として情報を表示する表示制御手段を有し、
前記表示制御手段は、前記アナログ式計器が斜め前方から斜め後方に移動するとき、前記アナログ式計器の移動を待って、前記情報が表示された前記表示領域を拡大し、前記アナログ式計器が斜め後方から斜め前方に移動するとき、前記アナログ式計器の移動に先立って、前記情報が表示された前記表示領域を縮小すること。
（２）  上記（１）の構成の可動式メータであって、
前記表示制御手段は、前記表示領域を拡大するとき、前記ディスプレイ上に表示する情報の大きさを拡大し、前記表示領域を縮小するとき、前記ディスプレイ上に表示する情報の大きさを縮小すること。
（３）  上記（１）の構成の可動式メータであって、
前記表示制御手段は、前記表示領域を拡大するとき、前記ディスプレイに表示する情報の情報量を増加し、前記表示領域を縮小するとき、前記ディスプレイ上に表示する情報を減少させること。
（４）  上記（１）から（４）のいずれか一つの構成の可動式メータであって、
前記表示制御手段は、前記アナログ式計器が斜め前方から斜め後方に移動するとき、前記表示領域の拡大を、前記アナログ式計器の移動に合わせて逐次行い、前記アナログ式計器が斜め後方から斜め前方に移動するとき、前記表示領域の縮小を、前記アナログ式計器の移動に合わせて逐次行うこと。
【００１０】
上記（１）の構成の可動式メータによれば、オーバーラップ領域に情報を表示しないように表示が制御されるので、情報の表示または表示変更が命令された時点において、適切且つ正確な情報伝達を行うことができる。
また、オーバーラップ領域を除くようにディスプレイの表示エリアが拡大または縮小されるので、オーバーラップ領域に情報が表示されないように表示を制御することができる。
上記（２）の構成の可動式メータによれば、オーバーラップ領域を除くようにディスプレイ上の表示の大きさが拡大または縮小されるので、オーバーラップ領域に情報が表示されないように表示を制御することができる。
上記（３）の構成の可動式メータによれば、オーバーラップ領域を除くようにディスプレイに表示する情報の量が増加または減少されるので、オーバーラップ領域に情報が表示されないように表示を制御することができる。
上記（４）の構成の可動式メータによれば、可動式メータがどの位置にあっても、オーバーラップ領域に情報を表示しないように表示が制御されるので、情報の表示または表示変更が命令された時点において、適切且つ正確な情報伝達を行うことができる。
【００１１】
また、前述した目的を達成するために、本発明に係る可動式メータの表示制御方法は、下記（５）を特徴としている。
（５）  車両に関する情報を表示するディスプレイと、
前記ディスプレイの少なくとも一部を覆う斜め前方、または前記ディスプレイを覆わない斜め後方への移動が可能なアナログ式計器と、を備えた可動式メータの表示制御方法であって、
前記ディスプレイをアイポイントから見た際に前記アナログ式計器の後方に隠れるオーバーラップ領域を除いた領域を該ディスプレイの表示領域として情報を表示する表示制御ステップと、
前記アナログ式計器が斜め前方から斜め後方に移動するとき、前記アナログ式計器の移動を待って、前記情報が表示された前記表示領域を拡大する表示領域拡大ステップと、
前記アナログ式計器が斜め後方から斜め前方に移動するとき、前記アナログ式計器の移動に先立って、前記情報が表示された前記表示領域を縮小する表示領域縮小ステップと、を含むこと。
【００１２】
上記（５）の構成の可動式メータの表示制御方法によれば、オーバーラップ領域に情報を表示しないように表示が制御されるので、情報の表示または表示変更が命令された時点において、適切且つ正確な情報伝達を行うことができる。
【発明の効果】
【００１３】
本発明によれば、オーバーラップ領域に表示がされないようにディスプレイ上の表示が制御されるため、可動式メータがどの位置にあっても、また可動式メータが移動中であるか否かにかかわらず、情報の表示または表示変更が命令された時点において、適切且つ正確な情報伝達を行うことができる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】本発明の実施の形態における可動式メータのシステム構成を示すブロック図
【図２】本発明の実施の形態における可動式メータの表示動作手順を示すフローチャート
【図３】本発明の実施の形態１における可動式メータの表示制御処理手順を示すフローチャート
【図４】本発明の実施の形態１における可動式メータのディスプレイの表示制御例を説明するための模式図
【図５】本発明の実施の形態２における可動式メータの表示制御処理手順を示すフローチャート
【図６】本発明の実施の形態２における可動式メータのディスプレイの表示制御例を説明するための模式図
【図７】本発明の実施の形態３における可動式メータの表示制御処理手順を示すフローチャート
【図８】本発明の実施の形態３における可動式メータのディスプレイの表示制御例を説明するための模式図
【図９】本発明の実施の形態４における可動式メータの表示制御処理手順を示すフローチャート
【図１０】アナログメータの移動量とオーバーラップ領域の増減量の関係を示す模式図
【図１１】従来の可動式メータの動作の様子を示す模式図（通常位置、前方）
【図１２】従来の可動式メータの動作の様子を示す模式図（拡大表示位置、後方）
【発明を実施するための形態】
【００１６】
以下、本発明の実施の形態について図面を参照して詳細に説明する。
【００１７】
図１は、本発明の実施の形態における可動式メータのシステム構成を示すブロック図である。可動式メータシステム１００は、主に、ＣＰＵ１０、速度計２０、回転計３０、グラフィックコントローラー４０、液晶ディスプレイ（ＬＣＤ）５０、車両データ入出力インターフェイス６０、ＥＥＰＲＯＭ７０、などで構成される。
【００１８】
ＣＰＵ１０は、可動式のアナログメータやディスプレイの動作全般を統括する制御ユニットで、後述する表示制御方法は、このＣＰＵ１０内に読み込まれたプログラムを実行することにより実現され、表示制御手段としての機能を発揮する。
【００１９】
速度計２０は、可動式メータの一つであって、速度計移動用モーター２１により、斜め前方または斜め後方へ移動させることができる。また、回転計３０も、可動式メータの一つであって、回転計移動用モーター３１により、斜め前方または斜め後方へ移動させることができる。なお、２つの計器（速度計２０および回転計３０）の標準位置は、ＬＣＤ５０の画面の斜め前方であり、オーバーラップ領域が生じている（通常時）。なお、本発明の実施の形態では、２つの可動式メータ（速度計２０および回転計３０）が搭載された計器を想定し、各可動式メータによってＬＣＤ５０の前方にオーバーラップ領域が生じる場合について説明するが、これに限られるものではない。例えば、可動式メータが１つの場合であってもよいし、１つのメータが可動式メータであり、別の１つのメータが計器に固定されたものであってもよい。また、可動式メータがＬＣＤ５０の左右に配置され、斜め前方または斜め後方へ移動する場合について説明するが、可動式メータは、ＬＣＤ５０の左右以外に配置されてもよいし、さらに、斜め前方または斜め後方以外の方向に移動してもよい。要は、ＬＣＤの前方に配置された可動式メータによって、ＬＣＤ５０の一部が覆われ、ＬＣＤ５０にオーバーラップ領域が生じさえすればよい。
【００２０】
グラフィックコントローラー４０は、生成または取得した画像データをＬＣＤ５０で表示可能なＲＧＢ画像データに変換し、ＬＣＤ５０へ送出するための制御部である。フレームメモリー４１に記憶された画像データは、１画面分ずつＬＣＤ５０のＸドライバー５１へ送出される。
【００２１】
ＬＣＤ５０は、２つの可動式メータの間に配置されたディスプレイであって、さらに、Ｘドライバー５１、Ｙドライバー５２、ＬＣＤ電源５３、などでディスプレイユニットを構成する。Ｘドライバー５１に送出されたＲＧＢ画像データは、Ｘドライバー５１に送出される水平同期信号、Ｙドライバー５２に送出される垂直同期信号により同期をとりながらＬＣＤ５０で表示される。
【００２２】
車両データ入出力インターフェイス６０は、外部の速度センサーや回転数センサー（いずれも図示省略）からの測定データなどを取得するためのインターフェイス部である。速度計２０や回転計３０の指針の指示値は、このインターフェイスを介して取得されたデータに基づいて決定される。また、ナビゲーションシステム（図示省略）が出力する進行方向などに係る画像情報やタイヤのパンクや故障箇所などの車両に係る報知情報などのＬＣＤ表示関係データもこのインターフェイスを介して取得される。
【００２３】
ＥＥＰＲＯＭ７０は、ＣＰＵ１０で実行するためのプログラムやデータを格納するための書き換え可能なメモリーで、後述する表示制御方法の実行プログラムもここに格納される。
【００２４】
次に、上記構成の可動式メータの動作について説明する。
【００２５】
はじめに、図２は、本発明の実施の形態における可動式メータの表示動作手順を示すフローチャートである。ＣＰＵ１０は、車両データ入出力インターフェイス６０を介して、車両または進行方向などに係る情報を読み込むと（ステップＳ１０）、速度計２０および回転計３０のアナログ式計器の指針を、読み込んだ指示値に応じて回動させる（ステップＳ１１）。
【００２６】
次に、ＣＰＵ１０は、速度計２０および回転計３０の現在位置を把握する（ステップＳ１２）。現在位置の把握は、例えば、速度計移動用モーター２１や回転計移動用モーター３１がステッピングモーターである場合、モーターを回転させるために出力したステップ数などに基づいて把握することができる。
【００２７】
そして、ＣＰＵ１０は、速度計２０および回転計３０の現在位置に基づいてオーバーラップ領域を算出し、オーバーラップ領域に表示がなされないような表示制御処理を行う（ステップＳ１３）。具体的な表示制御処理については後述する。以上が、一連の表示動作手順である。
【００２８】
［実施の形態１］
図３は、本発明の実施の形態１における可動式メータの表示制御処理手順を示すフローチャートである。また、図４は、本発明の実施の形態１における可動式メータのディスプレイの表示制御例を説明するための模式図である。実施の形態１で説明する表示制御処理の概略をまず説明する。例えば、ある情報の表示が命令される際にアナログメータが内側（通常位置）に位置する場合、図４（ａ）に示すように、オーバーラップ領域を除く領域（点線で囲まれる領域）に表示がなされる。そして、外側（拡大表示位置）への移動指示がなされると、ＣＰＵ１０は、アナログメータが外側へ移動完了した後の位置からオーバーラップ領域を算出する。この場合、オーバーラップ領域が消失するので、ＣＰＵ１０は、ＬＣＤ５０の画面全体に拡大した表示領域（点線で囲まれる領域）に同じ情報を再表示する。
【００２９】
上述の実施の形態１における表示制御を実施するために、はじめに、ＣＰＵ１０は、把握した速度計２０および回転計３０の現在位置について、それらのアナログメータが内側（通常位置）にあるか外側（拡大表示位置）にあるかを判断する（ステップＳ２０）。アナログメータが内側にある場合、ＣＰＵ１０は、次に、それらのアナログメータに位置の移動指示があるか否かを判断する（ステップＳ２１）。
【００３０】
外側（拡大表示位置）への移動指示がある場合、ＣＰＵ１０は、アナログメータの外側位置への移動完了を待って（ステップＳ２２）、情報を表示可能な表示領域を拡大して表示を行う（ステップＳ２３）。このとき、アナログメータが外側位置に移動したときにＬＣＤ５０に生じるオーバーラップ領域は、事前に「無し」と設定されているため、ＣＰＵ１０は、ＬＣＤ５０の表示面の全面を表示領域と切り替え、その表示領域に情報を表示する。一方、ステップＳ２１で移動指示がない場合、表示領域の大きさはそのままで表示を行う（ステップＳ２４）。
【００３１】
ステップＳ２０において、アナログメータが外側にある場合、ＣＰＵ１０は、次に、それらのアナログメータに位置の移動指示があるか否かを判断する（ステップＳ２５）。
【００３２】
内側（通常位置）への移動指示がある場合、ＣＰＵ１０は、情報を表示可能な表示領域を縮小して表示を行ってから（ステップＳ２６）、アナログメータの内側位置への移動を完了させる（ステップＳ２７）。このとき、アナログメータが内側位置に移動したときにＬＣＤ５０に生じるオーバーラップ領域は、事前に「有り」と設定され、且つ、そのオーバーラップ領域が発生する箇所が設定されているため、ＣＰＵ１０は、ＬＣＤ５０の表示面におけるオーバーラップ領域を除く範囲を表示領域と切り替え、その表示領域に情報を表示する。一方、ステップＳ２５で移動指示がない場合、表示領域の大きさはそのままで表示を行う（ステップＳ２８）。
【００３３】
［実施の形態２］
次に、図５は、本発明の実施の形態２における可動式メータの表示制御処理手順を示すフローチャートである。また、図６は、本発明の実施の形態２における可動式メータのディスプレイの表示制御例を説明するための模式図である。実施の形態２で説明する表示制御処理の概略をまず説明する。上述した実施の形態１では、ＬＣＤ５０における情報を表示可能な表示領域の面積を拡大・縮小する構成を説明したが、実施の形態２では、ＬＣＤ５０に表示する情報の大きさを拡大・縮小する構成について説明する。例えば、ある情報の表示が命令される際にアナログメータが内側（通常位置）に位置する場合、図６（ａ）に示すように、オーバーラップ領域を除く領域に表示がなされている。そして、外側（拡大表示位置）への移動指示がなされると、ＣＰＵ１０は、アナログメータが外側へ移動完了した後の位置からオーバーラップ領域を算出する。このとき、オーバーラップ領域が消失するので、ＣＰＵ１０は、図６（ｂ）に示すように、ＬＣＤ５０の画面に同じ情報を文字または画像を「拡大」して再表示する。図の例では、フォントサイズを大きくした数字が表示されている。
【００３４】
上述の実施の形態２における表示制御を実施するために、はじめに、ＣＰＵ１０は、把握した速度計２０および回転計３０の現在位置について、それらのアナログメータが内側（通常位置）にあるか外側（拡大表示位置）にあるかを判断する（ステップＳ３０）。アナログメータが内側にある場合、ＣＰＵ１０は、次に、それらのアナログメータに位置の移動指示があるか否かを判断する（ステップＳ３１）。
【００３５】
外側（拡大表示位置）への移動指示がある場合、ＣＰＵ１０は、アナログメータの外側位置への移動完了を待って（ステップＳ３２）、ＬＣＤ５０に表示すべき情報の大きさを拡大して表示を行う（ステップＳ３３）。一方、ステップＳ３１で移動指示がない場合、表示する情報の大きさはそのままで表示を行う（ステップＳ３４）。
【００３６】
ステップＳ３０において、アナログメータが外側にある場合、ＣＰＵ１０は、次に、それらのアナログメータに位置の移動指示があるか否かを判断する（ステップＳ３５）。
【００３７】
内側（通常位置）への移動指示がある場合、ＣＰＵ１０は、表示すべき情報の大きさを縮小して表示を行ってから（ステップＳ３６）、アナログメータの内側位置への移動を完了させる（ステップＳ３７）。一方、ステップＳ３５で移動指示がない場合、表示する情報の大きさはそのままで表示を行う（ステップＳ３８）。
【００３８】
実施の形態２では、ＬＣＤ５０に表示する情報のサイズを拡大・縮小する構成について説明した。表示する情報が文字である場合、そのフォント数は、ＬＣＤ５０の表示面にオーバーラップ領域が発生している場合にその文字の一部がそのオーバーラップ領域の範囲内に含まれないように、事前に設定しておく必要がある。なお、ここでは、ＬＣＤ５０の表示面に発生するオーバーラップ領域の有無に応じて、文字のフォント数を切り替える構成について説明したが、ＬＣＤ５０に表示する情報がマーク、アイコン、画像などであっても、同様に、それらマーク、アイコン、画像の一部がそのオーバーラップ領域の範囲内に含まれないように、事前にマーク、アイコン、画像の縮小率を設定しておく必要がある。
【００３９】
［実施の形態３］
次に、図７は、本発明の実施の形態３における可動式メータの表示制御処理手順を示すフローチャートである。また、図８は、本発明の実施の形態３における可動式メータのディスプレイの表示制御例を説明するための模式図である。実施の形態３で説明する表示制御処理の概略をまず説明する。上述した実施の形態１、２では、ＬＣＤ５０における情報を表示可能な表示領域の面積を拡大・縮小する構成、およびＬＤＣ５０に表示する情報の大きさを拡大・縮小する構成を説明したが、実施の形態３では、ＬＣＤ５０に表示する情報の情報量を増減する構成について説明する。例えば、ある情報の表示が命令される際にアナログメータが外側（拡大表示位置）に位置する場合、図８（ａ）に示すように、オーバーラップ領域を除く領域（この場合、オーバーラップ領域が消失しているので、ＬＣＤ５０の画面全体）に表示がなされている。そして、内側（通常位置）への移動指示がなされると、ＣＰＵ１０は、内側へ移動完了した位置からオーバーラップ領域を算出する。アナログメータが内側の位置では、オーバーラップ領域が最大となるので、ＣＰＵ１０は、縮小された表示領域に一部の情報のみを選択して再表示する。図の例では、オドメータ値とトリップメータ値のうち、トリップメータ値が選択されて表示されている。なお、情報の量を減少させる場合、どの情報を表示するかを運転者が選択できるようにしてもよい。
【００４０】
上述の実施の形態３における表示制御を実施するために、はじめに、ＣＰＵ１０は、把握した速度計２０および回転計３０の現在位置について、それらのアナログメータが内側（通常位置）にあるか外側（拡大表示位置）にあるかを判断する（ステップＳ４０）。アナログメータが内側にある場合、ＣＰＵ１０は、次に、それらのアナログメータに位置の移動指示があるか否かを判断する（ステップＳ４１）。
【００４１】
外側（拡大表示位置）への移動指示がある場合、ＣＰＵ１０は、アナログメータの外側位置への移動完了を待って（ステップＳ４２）、表示すべき情報の情報量を増加して表示を行う（ステップＳ４３）。一方、ステップＳ４１で移動指示がない場合、表示する情報量はそのままで表示を行う（ステップＳ４４）。
【００４２】
ステップＳ４０において、アナログメータが外側にある場合、ＣＰＵ１０は、次に、それらのアナログメータに位置の移動指示があるか否かを判断する（ステップＳ４５）。
【００４３】
内側（通常位置）への移動指示がある場合、ＣＰＵ１０は、表示すべき情報の量を減少して表示を行ってから（ステップＳ４６）、アナログメータの内側位置への移動を完了させる（ステップＳ４７）。一方、ステップＳ４５で移動指示がない場合、表示する情報量はそのままで表示を行う（ステップＳ４８）。
【００４４】
［実施の形態４］
次に、図９は、本発明の実施の形態４における可動式メータの表示制御処理手順を示すフローチャートである。実施の形態４で説明する表示制御処理の概略をまず説明する。上述した実施の形態１、２、３では、アナログメータの外側位置または内側位置への移動完了を待って、ＬＣＤ５０の表示を切り替えるよう制御するものであった。実施の形態４では、アナログメータの外側位置または内側位置への移動中であっても、その移動に合わせて逐次、ＬＣＤ５０の表示を切り替えるよう制御するものである。
【００４５】
はじめに、ＣＰＵ１０は、把握した速度計２０および回転計３０の現在位置について、それらのアナログメータが内側（通常位置）にあるか外側（拡大表示位置）にあるかを判断する（ステップＳ５０）。アナログメータが内側にある場合、ＣＰＵ１０は、次に、それらのアナログメータに位置の移動指示があるか否かを判断する（ステップＳ５１）。
【００４６】
外側（拡大表示位置）への移動指示がある場合、ＣＰＵ１０は、更にアナログメータの移動状態を判断する（ステップＳ５２）。移動が未完了である場合、ＣＰＵ１０は、アナログメータの位置をΔＬだけ内側から外側（即ち、斜め後方）へ移動させる（ステップＳ５３）。
【００４７】
ここで、図１０は、アナログメータの移動量とオーバーラップ領域の増減量の関係を示す模式図である。例えば、アナログメータの文字盤が内側位置（通常位置）から外側位置（拡大表示位置）へ移動する場合、アナログメータが距離ΔＬだけ斜め後方へ移動すると、ＬＣＤ５０を覆うオーバーラップ領域がΔＸだけ減少する。つまり、オーバーラップ領域が左右合わせて２・ΔＸの幅だけ小さくなり、表示領域が拡大される。この、一つのアナログメータの内側から外側への移動に伴うオーバーラップ領域の減少量ΔＸが事前に設定されており、アナログメータが移動中している期間における任意の時点のオーバーラップ領域を判定することができる。
【００４８】
図９のフローチャートに戻り、ＣＰＵ１０は、幅が２・ΔＸだけ拡大した表示領域に対して表示を行う（ステップＳ５４）。次に、ステップＳ５２へ戻り、アナログメータの外側位置（拡大表示位置）への移動が完了するまで、ステップＳ５３からステップＳ５４を繰り返し、表示領域を徐々に拡大しながら表示が連続的に変化する。一方、ステップＳ５１で移動指示がない場合、表示領域はそのままで表示を行う（ステップＳ５５）。
【００４９】
ステップＳ５３、Ｓ５４では、アナログメータの位置をΔＬだけ内側から外側（即ち、斜め後方）へ移動させた後、２・ΔＸだけ拡大した表示領域に対して表示を行うよう説明した。この順序であるのは、仮にこの順序を入れ替えてしまうと、すなわち、アナログメータの位置の移動の前に表示領域が２・ΔＸだけ拡大することになると、その表示領域における拡大した部分がアナログメータの後方に位置する虞があるためである。
【００５０】
一方、ステップＳ５０において、アナログメータが外側にある場合、ＣＰＵ１０は、次に、それらのアナログメータに位置の移動指示があるか否かを判断する（ステップＳ５６）。
【００５１】
内側（通常位置）への移動指示がある場合、ＣＰＵ１０は、更にアナログメータの移動状態を判断する（ステップＳ５７）。移動が未完了である場合、ＣＰＵ１０は、幅を２・ΔＸだけ縮小した表示領域に対して表示を行う（ステップＳ５８）。
【００５２】
ここで、図１０は、アナログメータの移動量とオーバーラップ領域の増加量の関係を示す模式図である。例えば、アナログメータの文字盤が外側位置（拡大表示位置）から内側位置（通常位置）へ移動する場合、アナログメータが距離ΔＬだけ斜め前方へ移動すると、ＬＣＤ５０を覆うオーバーラップ領域がΔＸだけ増加する。つまり、オーバーラップ領域が左右合わせて２・ΔＸの幅だけ大きくなり、表示領域が縮小される。この、一つのアナログメータの外側から内側への移動に伴うオーバーラップ領域の増加量ΔＸが事前に設定されており、アナログメータが移動中している期間における任意の時点のオーバーラップ領域を判定することができる。
【００５３】
図９のフローチャートに戻り、ＣＰＵ１０は、アナログメータの位置をΔＬだけ外側から内側（即ち、斜め前方）へ移動させる（ステップＳ５９）。次に、ステップＳ５７へ戻り、アナログメータの内側位置（通常位置）への移動が完了するまで、ステップＳ５８からステップＳ５９を繰り返し、表示領域を徐々に縮小しながら表示が連続的に変化する。一方、ステップＳ５６で移動指示がない場合、表示領域はそのままで表示を行う（ステップＳ６０）。
【００５４】
ステップＳ５８、Ｓ５９では、２・ΔＸだけ表示領域を縮小した後、アナログメータの位置をΔＬだけ外側から内側（即ち、斜め後方）へ移動させるよう説明した。この順序であるのは、仮にこの順序を入れ替えてしまうと、すなわち、表示領域が２・ΔＸだけ縮小する前にアナログメータが移動するとなると、移動したアナログメータの後方に表示領域が位置する虞があるためである。
【００５５】
なお、ステップＳ５３、Ｓ５４およびステップＳ５８、Ｓ５９では、表示領域を拡大・縮小する例について説明したが、上記の実施の形態２のように表示すべき情報の大きさを拡大または縮小させてもよいし、上記の実施の形態３のように表示すべき情報の量を増加または減少させてもよい。
【００５６】
なお、上記の実施の形態では、アナログメータの現在位置を把握するのに、内側（通常位置）にあるか、または外側（拡大表示位置）にあるかの２通りのみを判断する例について説明したが、これにとらわれるものではなく、アナログメータがそれらの途中に位置する場合でもその位置を把握するようにしてもよい。その際、アナログメータの位置に基づいてオーバーラップ領域は一意に算出されるので、当然のことながら当該オーバーラップ領域に表示を行わないように表示制御することが可能である。
【００５７】
また、上記の実施の形態では、アナログメータの例として速度計と回転計を用いて説明したが、これにとらわれるものではなく、アナログ式であり、且つ、斜め前方または斜め後方への駆動が可能な構成の可動式メータであればどのような指示計器であってもかまわない。
【００５８】
更に、上記の実施の形態では、２つのアナログメータ（速度計と回転計）を同時に駆動させる場合について説明したが、これにとらわれるものではなく、内側（通常位置）または外側（拡大表示位置）へそれぞれを独立して移動できるようにしてもよい。その際、移動の前後で表示を制御するようにしても、移動の途中で連続的に表示を制御するようにしてもよい。
【００５９】
以上、詳述したように、本発明の可動式メータおよびその表示制御方法によれば、オーバーラップ領域に表示がされないようにディスプレイ上の表示が制御されるため、可動式メータがどの位置にあっても、また可動式メータが移動中であるか否かにかかわらず、情報の表示または表示変更が命令された時点において、適切且つ正確な情報伝達を行うことができる。
【符号の説明】
【００６０】
１０  ＣＰＵ
２０  速度計
２１  速度計移動用モーター
３０  回転計
３１  回転計移動用モーター
６０  車両データ入出力インターフェイス
８０  イグニッションスイッチ入出力インターフェイス
１００  可動式メータシステム
【図１】
0005441252.tif 000002
【図２】
0005441252.tif 000003
【図３】
0005441252.tif 000004
【図４】
0005441252.tif 000005
【図５】
0005441252.tif 000006
【図６】
0005441252.tif 000007
【図７】
0005441252.tif 000008
【図８】
0005441252.tif 000009
【図９】
0005441252.tif 000010
【図１０】
0005441252.tif 000011
【図１１】
0005441252.tif 000012
【図１２】
0005441252.tif 000013